(57)【特許請求の範囲】
【請求項１】
複数設けられた装填スペース内に装填されている薬剤収容カセットから薬剤シートを取り出して払い出す薬剤払出装置において、支持部材によって上記薬剤収容カセットを片側から持ち上げて当該薬剤収容カセットの重量を計測する重量計測部と、上記薬剤収容カセットに収容される薬剤シートの１枚あたりの薬剤重量情報と上記薬剤収容カセットの空の状態での重量情報と上記重量計測部によって計測された上記薬剤収容カセットの計測重量とに基づいて当該薬剤収容カセット内に残存している上記薬剤シートの枚数を算定する算定部と、を備え、上記重量計測部は上記薬剤収容カセットから上記薬剤シートを払い出すための可動ユニットに設けられていることを特徴とする薬剤払出装置。
【請求項２】
複数設けられた装填スペース内に装填されている薬剤収容カセットから包装された薬剤を取り出して払い出す薬剤払出装置において、支持部材によって上記薬剤収容カセットを片側から持ち上げて当該薬剤収容カセットの重量を計測する重量計測部と、上記薬剤収容カセットに収容される包装された薬剤の１つあたりの薬剤重量情報と上記薬剤収容カセットの空の状態での重量情報と上記重量計測部によって計測された上記薬剤収容カセットの計測重量とに基づいて当該薬剤収容カセット内に残存している上記包装された薬剤の個数を算定する算定部と、を備え、上記重量計測部は上記薬剤収容カセットから上記包装された薬剤を払い出すための可動ユニットに設けられていることを特徴とする薬剤払出装置。
【請求項３】
複数設けられた装填スペース内に装填されている薬剤収容カセットから薬剤シートを取り出して払い出す薬剤払出装置において、支持部材によって上記薬剤収容カセットを片側から持ち上げて当該薬剤収容カセットの重量を計測する重量計測部と、上記薬剤収容カセットに収容される薬剤シートの１枚あたりの薬剤重量情報と上記薬剤収容カセットの空の状態での重量情報と上記重量計測部によって計測された上記薬剤収容カセットの計測重量とに基づいて当該薬剤収容カセット内に残存している上記薬剤シートの枚数を算定する算定部と、を備え、上記薬剤シートの端数に関しては、処方箋情報に基づいて端数を払い出したときに、上記端数を減算して管理する理論在庫処理を行うことを特徴とする薬剤払出装置。
【請求項４】
請求項１または請求項２に記載の薬剤払出装置において、上記可動ユニットは、上記薬剤収容カセットの前面側を上下左右に移動することを特徴とする薬剤払出装置。
【請求項５】
請求項３に記載の薬剤払出装置において、上記薬剤収容カセットの前面側を上下左右に移動して対象とする薬剤収容カセットから上記薬剤シートを払い出す可動ユニットを備えていることを特徴とする薬剤払出装置。
【請求項６】
請求項１〜請求項５のいずれか１項に記載の薬剤払出装置において、上下方向に並ぶ上記薬剤収容カセット間には、上記薬剤収容カセットの持ち上げを許容するクリアランスが設けられていることを特徴とする薬剤払出装置。
【請求項７】
薬剤払出装置に複数設けられた装填スペース内に装填されている複数の薬剤収容カセットのなかで、対象とする薬剤収容カセットの前面側に、薬剤を払い出すための可動ユニットを用いて、上記薬剤収容カセットを持ち上げる支持部材を移動させる工程と、上記支持部材を上記装填スペースの側に移動させることで上記薬剤収容カセットの持ち上げを可能にする工程と、上記支持部材を上方に移動させることによりまたは上記支持部材で上記薬剤収容カセットを上記装填スペースから引き出すことにより上記薬剤収容カセットを持ち上げる工程と、上記薬剤収容カセットを持ち上げた状態で当該薬剤収容カセットの重量を計測する工程と、計測した重量に基づいて上記薬剤収容カセット内の薬剤の残量を算出する工程と、を含むことを特徴とする薬剤残量算出方法。
【請求項８】
請求項７に記載の薬剤残量算出方法において、上記薬剤収容カセットが上記支持部材によって持ち上げ可能な状態になったか否かを検知することを特徴とする薬剤残量算出方法。
【発明の詳細な説明】
【技術分野】
【０００１】
この発明は、ＰＴＰ（Ｐｒｅｓｓ  Ｔｈｒｏｕｇｈ  Ｐａｃｋａｇｅ）シートやＳＰ（Ｓｔｒｉｐ  Ｐａｃｋａｇｅ）シート等の薬剤の払い出しを行う薬剤払出装置および薬剤払出装置で用いる薬剤残量算出方法に関する。
【背景技術】
【０００２】
薬剤払出装置は、薬剤ごとのＰＴＰシートが収容される薬剤収容カセットを多数備えており、入力された処方箋データに基づいて選択した薬剤収容カセットから必要枚数のＰＴＰシートを払い出すようになっている。このような薬剤払出装置としては、特許文献１及び特許文献２において開示された薬剤払出装置がある。【０００３】
上記特許文献１の薬剤払出装置が備えている薬剤収容カセットは、複数枚のＰＴＰシートを、立てた状態でそのポケット形成側の面が一方向を向くように、横方向に並べて収容する。上記薬剤収容カセットの奥側には上記ＰＴＰシートを上記薬剤収容カセットの手前側へと付勢する付勢装置が設けられている。そして、上記薬剤収容カセットの手前側壁の底部には払出用のスリットが形成されており、最も手前位置のＰＴＰシートが押出部材によって下方に押されると当該ＰＴＰシートが上記スリットから取り出されることになる。【０００４】
上記特許文献２の薬剤払出装置が備えている薬剤収容カセットは、複数枚のＰＴＰシートを、寝かせた状態でそのポケット形成側の面が下または上を向くように、縦方向に積み上げて収容する。上記薬剤収容カセットの上方位置には吸着ヘッドが設けられており、上記薬剤収容カセットの最も上に位置するＰＴＰシートは、上記吸着ヘッドによって持ち上げられてカセット外に払い出される。
【先行技術文献】
【特許文献】
【０００５】
【特許文献１】特開２０１１−４１７８９号公報
【特許文献２】特開２００８−３７５１０号公報
【発明の概要】
【発明が解決しようとする課題】
【０００６】
ところで、このような薬剤収容カセットからＰＴＰシートを払い出した場合には、このような払出を行った薬剤収容カセットに関して、払出前の枚数データから払出枚数を減じる計算処理を行うことにより、ＰＴＰシートの在庫管理を行うことができる。【０００７】
一方、このような計算処理による理論在庫管理に代替する在庫管理として或いはこのような理論在庫管理と併用できる在庫管理として、上記薬剤収容カセット内に残存するＰＴＰシートの枚数を実際にカウントすることで在庫管理を行うことが可能である。しかしながら、このようにＰＴＰシートの枚数を実際にカウントするのでは時間がかかり、多数の薬剤収容カセットを備える場合にはそれだけ多くの時間が必要になる。【０００８】
この発明は、上記の事情に鑑み、薬剤収容カセット内に残存する薬剤シートの枚数または包装された薬剤の個数を短時間で判断することができる薬剤払出装置および薬剤残量算出方法を提供する。
【課題を解決するための手段】
【０００９】
上記課題を解決するために、この発明の薬剤払出装置は、複数設けられた装填スペース内に装填されている薬剤収容カセットから薬剤シートを取り出して払い出す薬剤払出装置において、支持部材によって上記薬剤収容カセットを片側から持ち上げて当該薬剤収容カセットの重量を計測する重量計測部と、上記薬剤収容カセットに収容される薬剤シートの１枚あたりの薬剤重量情報と上記薬剤収容カセットの空の状態での重量情報と上記重量計測部によって計測された上記薬剤収容カセットの計測重量とに基づいて当該薬剤収容カセット内に残存している上記薬剤シートの枚数を算定する算定部と、を備えたことを特徴とする。【００１０】
また、この発明の薬剤払出装置は、複数設けられた装填スペース内に装填されている薬剤収容カセットから包装された薬剤を取り出して払い出す薬剤払出装置において、支持部材によって上記薬剤収容カセットを片側から持ち上げて当該薬剤収容カセットの重量を計測する重量計測部と、上記薬剤収容カセットに収容される包装された薬剤の１つあたりの薬剤重量情報と上記薬剤収容カセットの空の状態での重量情報と上記重量計測部によって計測された上記薬剤収容カセットの計測重量とに基づいて当該薬剤収容カセット内に残存している上記包装された薬剤の個数を算定する算定部と、を備えたことを特徴とする。【００１１】
これらの構成であれば、上記薬剤収容カセットを支持する支持部材により当該薬剤収容カセットを片側から持ち上げて当該薬剤収容カセットの重量を計測するので、例えば装填スペースから薬剤収容カセットを取り出して或る箇所に設けた重量計の上に置いて重量計測するのに比べて薬剤収容カセットの重量計測に要する時間を短くすることができる。そして、このように計測された重量から上記薬剤シートの枚数または包装された薬剤の個数を算定するので、例えば薬剤シートの枚数を実際にカウントするのに比べて枚数を把握するのに要する時間を格段に短くすることができる。【００１２】
上記薬剤払出装置において、上記重量計測部は上記薬剤収容カセットから上記薬剤シートまたは上記包装された薬剤を払い出すための可動ユニットに設けられていてもよい。これによれば、上記可動ユニットの他に上記重量計測部を移動させるユニットを設けずに済むことになる。【００１３】
上記薬剤払出装置において、上下方向に並ぶ上記薬剤収容カセット間には、上記薬剤収容カセットの持ち上げを許容するクリアランスが設けられているのがよい。これによれば、上記薬剤収容カセットの全体を上記装填スペースから引き出す必要がなくなり、重量計測の時間短縮が図れることになる。【００１４】
上記薬剤払出装置において、上記薬剤収容カセットの空の状態での重量情報は、当該薬剤収容カセットに上記薬剤シートまたは上記包装された薬剤が収容されていない空の状態で上記重量計測部により計測して記憶部に記憶されていてもよい。【００１５】
また、上記薬剤払出装置において、上記の重量計測部は、上記支持部材に設けられた歪みゲージの出力により重量を計測するものでもよい。【００１６】
上記薬剤シートの端数に関しては、処方箋情報に基づいて端数を払い出したときに、上記端数を減算して管理する理論在庫処理を行ってもよい。【００１７】
上記薬剤収容カセットの前面側を上下左右に移動して対象とする薬剤収容カセットから上記薬剤シートまたは上記包装された薬剤を払い出す可動ユニットを備えてもよい。【００１８】
また、この発明の薬剤残量算出方法は、薬剤払出装置に複数設けられた装填スペース内に装填されている複数の薬剤収容カセットのなかで、対象とする薬剤収容カセットの前面側に、薬剤を払い出すための可動ユニットを用いて、上記薬剤収容カセットを持ち上げる支持部材を移動させる工程と、上記支持部材を上記装填スペースの側に移動させることで上記薬剤収容カセットの持ち上げを可能にする工程と、上記支持部材を上方に移動させることによりまたは上記支持部材で上記薬剤収容カセットを上記装填スペースから引き出すことにより上記薬剤収容カセットを持ち上げる工程と、上記薬剤収容カセットを持ち上げた状態で当該薬剤収容カセットの重量を計測する工程と、計測した重量に基づいて上記薬剤収容カセット内の薬剤の残量を算出する工程と、を含むことを特徴とする。【００１９】
上記の構成であれば、上記薬剤収容カセットを持ち上げた状態で当該薬剤収容カセットの重量を計測するので、例えば装填スペースから薬剤収容カセットを取り出して或る箇所に設けた重量計の上に置いて重量計測するのに比べて薬剤収容カセットの重量計測に要する時間を短くすることができる。そして、このように計測された重量から上記薬剤の残量を算定するので、例えば薬剤シートの枚数を実際にカウントするのに比べて枚数を把握するのに要する時間を格段に短くすることができる。【００２０】
上記薬剤残量算出方法において、上記薬剤収容カセットが上記支持部材によって持ち上げ可能な状態になったか否かを検知するようにしてもよい。
【発明の効果】
【００２１】
この発明であれば、各薬剤収容カセット内に残存する薬剤シートの枚数または包装された薬剤の個数を短時間で判断することができるという効果を奏する。
【図面の簡単な説明】
【００２２】
【図１】この発明の一実施形態に係る薬剤払出装置の概略構成を示した斜視図である。
【図２】図１に示した薬剤払出装置の部分拡大図である。
【図３】図１に示した薬剤払出装置の部分拡大図である。
【図４】図１に示した薬剤払出装置の制御系の概略を示したブロック図である。
【図５】この発明の一実施形態に係る薬剤払出装置で用いることができる薬剤収容カセットを示した斜視図である。
【図６】図５に示した薬剤収容カセットの内部を透視的に示した斜視図である。
【図７】図５に示した薬剤収容カセットの上ケース部を取り外した状態を示した斜視図である。
【図８】図５に示した薬剤収容カセットの上ケース部及びスライド側板を取り外した状態を示した斜視図である。
【図９】図５に示した薬剤収容カセットの上ケース部とスライド側板と移動部材を取り外した状態を示した斜視図である。
【図１０】図５に示した薬剤収容カセットにおけるガイド板を示した拡大平面図である。
【図１１】図５に示した薬剤収容カセットの下ケース部を示した斜視図である。
【発明を実施するための形態】
【００２３】
以下、この発明の実施の形態を添付図面に基づいて説明する。
図１及び図２に示すように、この実施形態の薬剤払出装置１０の筐体内には上下左右に複数の装填スペース１０ａが設けられており、上記装填スペース１０ａのそれぞれに薬剤収容カセット１が装填されている。上記薬剤収容カセット１は、その奥行き方向に出し入れ可能に設けられている。この薬剤払出装置１０の可動ユニット１１は、上記薬剤収容カセット１の前面側（薬剤払い出し側）において上下方向及び左右方向に移動可能に設けられている。上記可動ユニット１１には、重量計測部１２、梁部材駆動部１５、図示しない払出装置、カセット操作部などが設けられている。また、上記薬剤払出装置１０には、ディスプレイ１３及び入力部１４が設けられている。
【００２４】
上記薬剤収容カセット１は、例えば、複数枚のＰＴＰシート１００を、立てた状態でそのポケット形成側の面が単一の方向を向くように、横方向に並べて収容するものであり、当該薬剤収容カセット１の奥側には上記ＰＴＰシート１００を上記薬剤収容カセット１の手前側へと付勢する付勢装置が設けられ、手前側の壁部の底側には払出用のスリットが形成される。このような薬剤収容カセット１が用いられる場合、上記払出装置は、例えば押出部材を有し、この押出部材によって最も手前位置のＰＴＰシート１００を上記スリットから下方に押すように構成される。
【００２５】
或いは、上記薬剤収容カセット１は、例えば、複数枚のＰＴＰシート１００を、寝かせた状態でそのポケット形成側の面が下または上を向くように、縦方向に積み上げて収容するものでもよい。このような薬剤収容カセット１が用いられる場合、上記払出装置は、例えば吸着ヘッドを有し、この吸着ヘッドによって上記薬剤収容カセット１の最も上に位置するＰＴＰシート１００を持ち上げてカセット外に払い出すように構成される。
【００２６】
勿論、上記薬剤収容カセット１は上記のような構造に限られるものではなく、また、上記払出装置においても様々な構成を採用することができる。
【００２７】
上記のカセット操作部は、例えば、電磁石を先端部に有し上記薬剤収容カセット１の前面磁性部に磁力接合して当該薬剤収容カセット１を出し入れするように構成される。
【００２８】
図３に示すように、上記重量計測部１２における梁部材（支持部材）１２ａの先端部にはカセット接触部１２ｂを有している。このカセット接触部１２ｂは、上記薬剤収容カセット１の前面壁部の上端部及び下端部に接することで当該薬剤収容カセット１を持ち上げ可能に支持する。そして、上記梁部材１２ａの基端部は上記可動ユニット１１に設けられた梁部材駆動部１５に連結されている。この梁部材駆動部１５は、上記カセット接触部１２ｂを上記薬剤収容カセット１に近づけたり遠ざけたりするために上記梁部材１２ａを進退させる動作と、上記カセット接触部１２ｂによって上記薬剤収容カセット１を持ち上げたり降ろしたりするために上記梁部材１２ａを昇降させる動作と、を行うようになっている。上記進退動作を行う機構は、例えば、上記梁部材１２ａが固定されるラックと、このラックを移動させるピニオンと、上記ピニオンを回転させるモータと、を備える。また、上記梁部材１２ａを昇降させる機構は、例えば、上記進退動作を行う機構が固定されるナットブロックと、このナットブロックを昇降させる送りねじと、上記送りねじを回転させるモータと、を備える。
【００２９】
なお、上記梁部材駆動部１５によって上記梁部材１２ａを昇降動作するのではなく、上記可動ユニット１１が昇降動作して上記薬剤収容カセット１を持ち上げたり降ろしたりするようにしてもよい。また、上記梁部材駆動部１５を備えずに、上記梁部材１２ａの基端部を上記可動ユニット１１に固定する（進退動作させない）構成を採用することも可能である。このように構成する場合には、薬剤払出に用いる上記カセット操作部によって上記薬剤収容カセット１を引き出すこととし、この引き出し動作によって上記薬剤収容カセット１の前面壁部を上記カセット接触部１２ｂに係合させることができる。なお、上記薬剤収容カセット１の重量計測の際には、上記のカセット操作部は上記薬剤収容カセット１から離間し、上記薬剤収容カセット１の重量計測が適切に行われるようにする。
【００３０】
上記梁部材１２ａは、上記薬剤収容カセット１を持ち上げたときに幾分撓むことができるようにその材質や断面形状等が設定されている。そして、上記梁部材１２ａの例えば上面に歪みゲージ１２ｃが貼付される。この歪みゲージ１２ｃは、歪み（変形）により電気抵抗を変化させる性質を有するものである。この電気抵抗の変化は図示しない電気線によって後述する制御部２０に与えられ、この制御部２０によって上記電気抵抗が重量（歪み量）に換算される。勿論、歪み（変形）による電気抵抗変化とは異なる物理的性質を用いて重量を計測することも可能である。
【００３１】
ここで、この実施形態では、上記装填スペース１０ａの底板が上記薬剤収容カセット１の前端側に位置しないようにしており（図２参照）、これにより、上記薬剤収容カセット１を手前側に引き出さなくても上記カセット接触部１２ｂが上記薬剤収容カセット１の前面壁部に係合することができる。なお、薬剤収容カセット１の重量を計測する際に、上記薬剤収容カセット１の全体を上記装填スペース１０ａから抜き出すことをしない場合には、上記装填スペース１０ａには上記持ち上げを許容する高さの余裕（クリアランス）が与えられ、上記薬剤収容カセット１は上記クリアランスよりも短い距離だけ持ち上げられる。一方、上記薬剤収容カセット１の全体を上記装填スペース１０ａから抜き出して持ち上げることとする場合には、上記クリアランスは特に必要とされない。
【００３２】
また、上記薬剤収容カセット１が上記装填スペース１０ａの底板から完全に浮上して上記薬剤収容カセット１の重量を判定できる状態となったかどうかの判断は、上記薬剤収容カセット１が上記装填スペース１０ａの底板から完全に浮上したことを光センサなどにより検出することで行うことができる。或いは、上記梁部材１２ａの上昇動作中に繰り返し重量算出を行い、重量が一定値になったと見なされるようになったときの重量を最終的な重量とするようにしてもよい。この場合には、上記浮上を特に判断しなくても正確に重量を判定することが可能である。また、上記薬剤収容カセット１を上記装填スペース１０ａの底板から充分に浮上させるようにして上記光センサの設置を不要にすることも可能である。
【００３３】
図４は、上記薬剤払出装置１０の制御系の概略を示したブロック図である。制御部２０はマイクロコンピュータから成り、上記入力部１３から入力された情報を処理し、また処理した情報をディスプレイ１４に表示する等の処理を行う。例えば、オペレータは、上記入力部１３を用い、どの薬剤収容カセット１にどの薬剤シートが収容されているか等を入力する初期入力、上記薬剤収容カセット１にＰＴＰシート１００を補充する際の補充枚数入力（この枚数入力は不要としてもよい）、払出のための処方箋情報入力等を行うことができる。
【００３４】
また、上記制御部２０は、上記処方箋情報に基づいて上記可動ユニット１１を対象となる薬剤収容カセット１の箇所まで移動させて、ＰＴＰシート１００の払出処理を実行することになる。なお、上記ＰＴＰシート１００の端数の払出処理を行うことも可能である。このような端数の払出処理のための機構に関しては、特開２０１１−４１７８９号公報に開示されている装置等を利用することができる。上記公報に開示された装置は、把持部材に把持されて搬送されてきた薬剤シートから端数分を切断する切断部材を備えている。
【００３５】
上記制御部２０は、例えば在庫管理指示がオペレータによって上記入力部１３から入力されたとき、或いは、在庫管理を行う所定の日時が到来したときなどに、上記可動ユニット１１を薬剤収容カセット１の前面箇所に順番に移動させていく。また、例えば、各装填スペース１０ａにセンサ（光学センサなど）を設けておき、ユーザによる上記ＰＴＰシート１００の補充や取り出しのために、薬剤収容カセット１が一旦取り外されて再び装着された事が上記センサにより検知されたときに、上記制御部２０は、上記検知された装填スペース１０ａの薬剤収容カセット１の前面に上記可動ユニット１１を移動させる。そして、上記制御部２０は、上記可動ユニット１１を上記のように対象となる薬剤収容カセット１の箇所まで移動させた後、上記梁部材駆動部１５を駆動し、上記重量計測部１２におけるカセット接触部１２ｂを上記薬剤収容カセット１の前面壁部に係合させる。そして、上記制御部２０は、上記係合（接触）を検知部によって検知した後、上記薬剤収容カセット１を上記重量計測部１２の梁部材１２ａによって持ち上げる。上記検知部は、例えば、上記カセット接触部１２ｂが上記薬剤収容カセット１に接触したときにオンするように上記カセット接触部１２ｂに設けられたスイッチ等からなる。
【００３６】
なお、この実施形態では、上記薬剤収容カセット１を手前側に全く引き出さずに上記カセット接触部１２ｂを上記薬剤収容カセット１の前面壁部に係合させて上記薬剤収容カセット１を上記クリアランスよりも短い距離だけ持ち上げるようにしている。このように上記薬剤収容カセット１を全く引き出さない場合は、引き出す動作が不要なため、重量計測に要する時間を短縮できる。また、上記薬剤収容カセット１を引き出さない構造を採用すると、薬剤払出装置１０における奥行き方向（前後方向）の寸法を短くできる。
【００３７】
上記制御部２０は、上記重量計測部１２の歪みゲージ１２ｃに通電を行い、その電気抵抗を計測し、この電気抵抗を上記薬剤収容カセット１の重量に換算する。さらに、上記制御部２０は、対象の薬剤収容カセット１に収容されているＰＴＰシート１００の１枚あたりの重量情報と、対象の薬剤収容カセット１の空状態の重量情報を記憶部１６から読み出す。
【００３８】
そして、上記制御部２０は、上記重量計測部１２の出力を換算して得た上記薬剤収容カセット１の計測重量から当該薬剤収容カセット１の空状態の重量を減算して当該薬剤収容カセット１に残存しているＰＴＰシート１００及び端数全体の総重量を算出する。次に、上記制御部２０は、上記総重量をＰＴＰシート１００の１枚あたりの重量で除算し、商（整数）と剰余を出力する。上記商はＰＴＰシート１００の枚数を示すことになり、上記制御部２０は、上記算定した枚数を、対応の薬剤収容カセット１の在庫枚数として記憶部１６に記憶させる。
【００３９】
一方、上記剰余は上記薬剤収容カセット１内に残っている端数を示すことになる。この実施形態では、上記剰余を利用して端数を割り出すことはせずに、この剰余を切り捨てている。これは、上記処方箋情報に基づいて端数をカットする際にカット位置にずれが発生したり、ＰＴＰシート１００の耳部分の有無により、上記剰余が正確に端数を現すものとは限らないためである。このため、上記端数に関しては、処方箋情報に基づいて端数を払い出したときに、上記端数を減算して管理する理論在庫処理を行うようにしている。なお、この実施形態では、薬剤の補充はＰＴＰシート単位で行い、端数単位では行わないが、仮に、端数単位で補充を行う場合には、補充した端数を理論在庫に加算する。
【００４０】
上記薬剤収容カセット１の空の状態での重量情報は、当該薬剤収容カセット１の重量を上記薬剤シートが収容されていない空の状態で上記重量計測部１２により計測して記憶部１６に記憶するようにしてもよい。このような計測処理は、薬剤払出装置１０の出荷段階や設置段階において全ての薬剤収容カセット１に対して一斉に行うことができる。また、上記薬剤収容カセット１の空の状態での重量情報を上記重量計測部１２によらずに別の重量計で計測することも可能である。また、上記出荷段階や設置段階に限らず、上記薬剤収容カセット１の交換を行うときにも重量計測を行うようにしてもよい。
【００４１】
以上の処理は、薬剤払出装置における薬剤残量算出方法も示している。すなわち、この薬剤残量算出方法は、上記薬剤払出装置１０に複数設けられた上記装填スペース１０ａ内に装填されている複数の上記薬剤収容カセット１のなかで、対象とする薬剤収容カセット１の前面側に、上記薬剤を払い出すための可動ユニット１１を用いて、上記薬剤収容カセット１を持ち上げる梁部材（支持部材）１２ａを移動させる工程と、上記梁部材１２ａを上記装填スペース１０ａの側に移動させることで上記薬剤収容カセット１の持ち上げを可能にする工程と、上記梁部材１２ａを上方に移動させることによりまたは上記梁部材１２ａで上記薬剤収容カセット１を上記装填スペース１０ａから引き出すことにより上記薬剤収容カセット１を持ち上げる工程と、上記薬剤収容カセット１を持ち上げた状態で当該薬剤収容カセット１の重量を計測する工程と、計測した重量に基づいて上記薬剤収容カセット１内の薬剤の残量を算出する工程と、を含む。また、この方法において、上記制御部２０は、上記カセット接触部１２ｂによる上記薬剤収容カセット１の前面壁部の係合、すなわち上記薬剤収容カセット１が上記梁部材１２ａによって持ち上げ可能な状態になったか否かを上記検知部により検知する。
【００４２】
また、この実施形態では、オペレータが上記薬剤収容カセット１にＰＴＰシート１００を補充するときに、この補充したシート枚数を上記入力部１３における数値キーから入力することができるようにして理論在庫管理を可能にするとともに、上記のごとく上記重量計測部１２にて計測された重量に基づいてシート枚数を算出することによる在庫管理も行い、在庫の検証が可能となるようにした。
【００４３】
上記のような構成に限るものではない。例えば、入力部１３による補充枚数等の入力を不要とした構成を採用することもできる。ここで、オペレータが補充枚数や取出枚数を薬剤払出装置１０に入力せずに、薬剤シートを補充したり、取り出したりすると、理論在庫と実在庫が合わなくなることになる。例えば、所定の薬剤シートを必要とするユーザが薬剤収容カセットから上記薬剤シートを直接取り出す場合、或いは薬剤払出装置１０が複数台導入された薬局において、１つの装置１０において、ある薬剤シートの在庫がゼロになったときに、他の装置１０の薬剤収容カセット１から薬剤シートを移す場合がある。このような場合でも、上記重量計測部１２にて計測された重量に基づいてシート枚数を算出することにより正確な在庫管理を行うことができる。
【００４４】
また、上記薬剤収容カセット１として図５及び図６に示す薬剤収容カセット１Ａを用いることもできる。この薬剤収容カセット１Ａは収容領域Ａが奥行き方向に複数あり、最も手前の収容領域ＡのＰＴＰシート１００が無くなれば後ろの収容領域ＡのＰＴＰシート１００を前進させる機能を有するものである。
【００４５】
具体的には、薬剤収容カセット１Ａにおける上ケース部２内には、ＰＴＰシート１００を積み上げした状態或いは包装体の状態で収容できる４つの収容領域Ａを奥行き方向に複数形成するようにこの奥行き方向に間隔を置いて複数の仕切り部材３が位置している。そして、この実施形態では、上記ＰＴＰシート１００或いは包装体はその短手方向を上記奥行き方向に向けた状態で収容されるように上記収容領域Ａが形成されている。すなわち、上記収容領域Ａの左右方向が奥行き方向よりも長くなるようにしている。
【００４６】
上記４つの収容領域Ａのうち最も手前側の収容領域Ａには、ＰＴＰシート１００を横から挟み込んでその積載ずれを防止する押さえ部９が設けられている。この押さえ部９は板ばね９ａにより弾性支持されており、上記ＰＴＰシート１００を横から押さえている。また、上記上ケース部２の右側及び左側には移動部材４が設けられている。上記移動部材４は、上記複数の仕切り部材３を同時に移動させることで上記収容領域Ａを上記奥行き方向（奥側及び手前側）に移動させることができ、手前側に移動するときに上記収容領域Ａ内のＰＴＰシート１００或いは包装体を手前側に移動させることができる。
【００４７】
上記仕切り部材３は、上記奥行き方向と交差する方向（左右方向）に分離して対をなしており、この対をなす仕切り部材３は上記収容領域Ａに収容されるＰＴＰシート１００或いは包装体の一辺の両側角部に係合するように位置している。また、各移動部材４には複数の係止穴４ａが上記奥行き方向に所定の間隔で形成されている。これにより、上記仕切り部材３を上記係止穴４ａに着脱自在に装着することができ、また、使用する係止穴４ａを変更することで、上記仕切り部材３の上記奥行き方向の間隔（収容領域Ａの大きさ）を変更することが可能になっている。
【００４８】
図７は上記上ケース部２を取り外した状態の薬剤収容カセット１Ａを示した斜視図である。この薬剤収容カセット１Ａには上記移動部材４を駆動する駆動機構５が設けられている。この駆動機構５に設けられている駆動力伝達軸５１は薬剤収容カセット１Ａの手前側において下ケース部６により支持されている。上記駆動力伝達軸５１の一端側に形成された連結部５１ａは上記下ケース部６から外側に突き出ており、他端側に形成された歯車部５１ｂは上記下ケース部６によって回転自在に支持された傘歯車５２の下面の歯車部に歯合している。
【００４９】
なお、上記可動ユニット１１には上記連結部５１ａに連結できるモーター等が設けられることになる。上記傘歯車５２の上面の平坦部には、当該傘歯車５２の回転中心に一致するように第１突起部５２ａが形成されており、上記回転中心から外れた位置には第２突起部５２ｂが形成されている。そして、上記傘歯車５２の上記平坦部には上記第１突起部５２ａ及び第２突起部５２ｂに係合する駆動片５３が設けられている。この駆動片５３は、上記傘歯車５２と共に回転し且つ上記傘歯車５２の径方向に位置を変位できるようになっている。
【００５０】
上記駆動片５３の一端側には係合部５３ａが設けられている。この係合部５３ａはスライド平板５４の長穴に係合している。上記スライド平板５４は上記奥行き方向にスライド可能に設けられている。そして、上記長穴は左右方向に長く形成されている。上記傘歯車５２が回転すると、上記駆動片５３も同じく回転し、この駆動片５３の回転によって上記スライド平板５４が上記奥行き方向に往復移動することになる。
【００５１】
上記スライド平板５４の左右位置にはスライド側板５５が連結されており、上記スライド平板５４が上記奥行き方向に往復移動すると上記スライド側板５５も上記奥行き方向に往復移動する。上記スライド側板５５は上平板部と下平板部を有する断面コ字形状を有しており、上記上平板部及び下平板部には左右方向に切り込まれた係合切欠き部５５ａが形成されている。そして、この係合切欠き部５５ａには上記移動部材４の上面縁及び下面縁に形成された係合突起４ｂが係合している。
【００５２】
図８は上記上ケース部２及び上記スライド側板５５を取り外した状態の薬剤収容カセット１Ａを示した斜視図である。上記移動部材４の略中央部の下縁にはガイドピン支持部４ｃが形成されており、このガイドピン支持部４ｃに形成された支持穴にガイドピン４ｄが挿入されている。上記ガイドピン４ｄの先端はガイド板７に形成されているガイド溝７ａに入り込んでおり、上記ガイドピン支持部４ｃの先端面は上記ガイド溝７ａの堤部上面に当接している。
【００５３】
図９は上記上ケース部２と上記スライド側板５５と上記移動部材４を取り外した状態の薬剤収容カセット１Ａを示した斜視図である。上記ガイド板７のガイド溝７ａは、上記奥行き方向に平行に延びる内側と外側の２本のガイド溝部とこれらを繋ぐ２本の折り返し溝部を有した平行四辺形状に形成されている。
【００５４】
上記ガイドピン４ｄが内側のガイド溝部に位置して上記移動部材４が互いに近づいた状態で手前側に移動するときには、上記仕切り部材３は上記収容領域Ａに収容されるＰＴＰシート１００の角部に係合可能となり、手前側移動によって各領域Ａ内のＰＴＰシート１００を手前側に移動させることができる。一方、上記ガイドピン４ｄが外側のガイド溝部に位置して上記移動部材４が互いに遠ざかった状態で奥側に移動するときには、上記仕切り部材３は上記収容領域Ａに収容されるＰＴＰシート１００の角部から遠ざかり、各領域Ａ内のＰＴＰシート１００に触れずに上記奥側の移動によって規定位置に戻ることになる。
【００５５】
図１０は上記ガイド板７を示した平面図である。このガイド板７の中央堤部の角部２カ所には、一方向動作レバー７１が設けられている。この一方向動作レバー７１の先端側はガイド溝７ａ内に位置している。また、一方向動作レバー７１の後端側には、ストッパ部７２及びばね７３が設けられている。上記ばね７３は一方向動作レバー７１の後端部を上記ストッパ部７２に押し当てる方向に付勢する。
【００５６】
図１０において実線で示されている上記ガイドピン４ｄが矢示のように下方向（手前側）に移動すると、上記一方向動作レバー７１は点線で示すように回動する。そして、上記ガイドピン４ｄが点線で示す位置に到達すると、上記一方向動作レバー７１は上記ガイドピン４ｄの押圧を免れて上記実線で示す位置に上記ばね７３の力によって戻る。このように戻った上記一方向動作レバー７１は上記ガイドピン４ｄを折り返し溝部に導くガイドとして機能する。これにより、上記移動部材４が奥側への移動動作に切り換わるときに、上記ガイドピン４ｄは上記一方向動作レバー７１に案内されて二点鎖線で示すように矢示方向に移動し、外側のガイド溝部へと向かうことになる。
【００５７】
図１１は下ケース部６を示した斜視図である。この下ケース部６には、上記傘歯車５２を収容する収容部６１が形成されている。そして、この収容部６１には、軸収容部６１ａが形成されており、この軸収容部６１ａに上記傘歯車５２の下面歯車部の中央に形成された回転軸が収容されるようになっている。
【００５８】
上記薬剤収容カセット１Ａを用いる場合は、上記ＰＴＰシート１００を払い出すときに、最も手前側の収容領域Ａだけが露呈するように当該薬剤収容カセット１Ａを少しだけ引き出せば済むので、上記薬剤払出装置１０の奥行きの寸法を短くすることができる。したがって、上記重量計測部１２による重量計測において薬剤収容カセットを装填スペースから全く引き出さない構成及び引き出す長さを短くする構成は、上記薬剤収容カセット１Ａを用いる構成と組み合わせると有意である。なお、上記ＰＴＰシート１００の払い出しは、可動ユニット１１に設けた例えば空気吸引部によって上記ＰＴＰシート１００を吸着して持ち上げることにより行う。
【００５９】
また、上記実施形態では、上記梁部材１２ａの先端に設けた上記カセット接触部１２ｂによって上記薬剤収容カセット１を持ち上げ可能に支持したが、これに限らず、上記梁部材１２ａの先端に設けた磁石によって上記薬剤収容カセット１の金属部を磁力吸引し上記薬剤収容カセット１を持ち上げ可能に支持する構成或いは上記梁部材１２ａの先端に設けた空気吸引部によって上記薬剤収容カセット１を持ち上げ可能に支持する構成を採用することもできる。すなわち、上記薬剤収容カセット１に接触するカセット接触部として、上記磁石または上記空気吸引部を採用してもよい。
【００６０】
また、上記梁部材１２ａの先端部を平坦形状にし、この梁部材１２ａを上記薬剤収容カセット１の下に潜り込ませ、フォークリフトのように上記薬剤収容カセット１を持ち上げるようにしてもよい。すなわち、上記薬剤収容カセット１に接触するカセット接触部として、上記梁部材１２ａの上記平坦形状の先端部を採用してもよい。
【００６１】
また、上記可動ユニット１１と同様の移動機構によって上下左右に移動できる移動装置を上記薬剤収容カセット１の背面側に配置し、この移動装置に上記重量計測部１２を設けてもよい。すなわち、上記薬剤収容カセット１の背面側で当該薬剤収容カセット１を持ち上げてその重量を計測するようにしてもよい。
【００６２】
また、この実施形態では、薬剤シートとしてＰＴＰシートを例示したが、ＳＰシート等であってもよい。また、薬剤シートに限らず、上記薬剤収容カセット１内に、包装された薬剤を収容してもよい。上記包装された薬剤としてはアンプル、輸液バッグ等が挙げられる。
【００６３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００６４】
１      薬剤収容カセット
１Ａ    薬剤収容カセット
１０    薬剤払出装置
１０ａ  装填スペース
１１    可動ユニット
１２    重量計測部
１２ａ  梁部材（支持部材）
１２ｂ  カセット接触部
１２ｃ  歪みゲージ
１３    入力部
１４    ディスプレイ
１５    梁部材駆動部
１６    記憶部
２０    制御部（算定部）
１００  ＰＴＰシート
【図１】
0005382263.tif 000002
【図２】
0005382263.tif 000003
【図３】
0005382263.tif 000004
【図４】
0005382263.tif 000005
【図５】
0005382263.tif 000006
【図６】
0005382263.tif 000007
【図７】
0005382263.tif 000008
【図８】
0005382263.tif 000009
【図９】
0005382263.tif 000010
【図１０】
0005382263.tif 000011
【図１１】
0005382263.tif 000012